(57)【特許請求の範囲】
【請求項１】
枠体を構成する枠杆の外側面に形成された凹溝に、張材の周縁部を嵌合することによって、前記枠体の表面に前記張材を張設する張材の張設方法において、
前記枠杆の表面の一部に、補助枠材を、前記枠杆の外側方へ向かう前記張材の引張方向に移動可能として装着し、前記補助枠材と前記枠杆との間、または前記補助枠材に設けた内方を向く凹溝に、前記張材の外周縁部を外側から内側に向かって差し込み、前記枠体に設けた締付手段により、前記補助枠材を、前記張材の引張方向である前記枠杆の外側方に引き寄せて、前記張材を、前記外側方に張力を生じるように前記枠体の表面に張設することを特徴とする張材の張設方法。
【請求項２】
枠体を構成する枠杆の外側面に形成された凹溝に、張材の周縁部を嵌合することによって、前記枠体の表面に前記張材を張設する張材の張設構造において、
前記枠杆の表面の一部に、補助枠材を、前記枠杆の外側方へ向かう前記張材の引張方向に移動可能として装着するとともに、前記枠体に、前記補助枠材を、前記枠杆の外側方へ向かう前記張材の引張方向に引き寄せつつ締め付ける締付手段を設け、さらに、前記補助枠材と前記枠杆との間、または前記補助枠材に、前記張材の外周縁部を外側から内側に向かって差し込む凹溝を設けたことを特徴とする張材の張設構造。
【請求項３】
補助枠材と枠体との間に凹溝を設けたものにおいて、前記凹溝を形成する補助枠材と枠体との対向面を、枠体の内方から外方に向かって表面寄りに斜めに傾斜するように設け、締付手段の締め付けにより、両対向面の間隔が狭まるようにしたことを特徴とする請求項２記載の張材の張設構造。
【請求項４】
枠体をほぼ方形とし、その一辺の両端のコーナー部に補助枠材と締付手段とをそれぞれ設けたことを特徴とする請求項２または３記載の張材の張設構造。
【請求項５】
張材の外周縁部の一部に硬質の縁材を止着し、この縁材を、前記張材の周縁部とともに、各凹溝に差し込むようにしたことを特徴とする請求項２〜４のいずれかに記載の張材の張設構造。
【発明の詳細な説明】
【技術分野】
【０００１】
本発明は、椅子の背凭れ、座、もしくはヘッドレスト、またはメッシュ張りの衝立や間仕切等に適用しうる張材の張設方法および張材の張設構造に関する。
【背景技術】
【０００２】
張材の張設構造として、例えば、椅子の座フレームの上面に張設され、周辺部が、座フレームの外周部の上面および外側面を経て、内向きに折返えされているネット部材の周縁部に挟入片を止着し、この挟入片を、座フレームの外周部の下面に設けた周方向の保持溝内へ嵌入するとともに、座フレームの下側に取付けた締付枠をもって、挟入片を保持溝内へ押し入れることにより、ネット部材に張力を付与するようにしたものがある(特許文献１参照)。
【０００３】
また、枠体の表面に張材を張設した椅子の背凭れ等における張材の張設構造において、張材における相対する１対の縁部を、枠体における互いに対向する１対の枠杆の表面から、外側縁を回って裏面へ巻き付けるとともに、張材の両縁部に止着した、先端部に鉤形部を有する縁材を、両枠杆における内側面と表面との角部に係止することにより、張材を枠体に張設したものがある(特許文献２参照)。
【先行技術文献】
【特許文献】
【０００４】
【特許文献１】特開２００４−０４９６８５号公報
【特許文献２】特開２００６−１１０００１号公報
【発明の概要】
【発明が解決しようとする課題】
【０００５】
しかし、特許文献１に記載されているものにおいては、座フレームの下側に取付けた締付枠をボルトをもって締め付け、挟入片が保持溝内へ押し入れられる際に、張材が座フレームの外周部を回って下側に引き寄せられ、座フレームに擦れたり、座フレームと締付枠との間に挟まれた状態で、それらに対して擦られたりして、張材が損傷しやすいという問題がある。
【０００６】
特許文献２に記載されているものにおいては、張材を上下枠杆に巻き付ける張材の張設作業が煩雑であり、また枠体の内周面と表面との角部に、縁材を係止させるための凹溝を形成するため、枠体の樹脂成形時に、その凹溝形成用の中子を、枠体形成用の金型に設けなければならず、成形用の金型が複雑かつ高価になる。
【０００７】
本発明は、従来の技術が有する上記のような問題点に鑑みてなされたもので、張材を強く引き締めて枠体に張設することができるだけでなく、張材の張設時に、張材に損傷を与えることがなく、張材の張設作業が簡単であり、しかも複雑で高価な金型を用いることなく、枠体を安価に製造することができるようにした張材の張設方法、および張材の張設構造を提供することを目的としている。
【課題を解決するための手段】
【０００８】
本発明によると、上記課題は、次のようにして解決される。
（１）枠体を構成する枠杆の外側面に形成された凹溝に、張材の周縁部を嵌合することによって、前記枠体の表面に前記張材を張設する張材の張設方法において、  前記枠杆の表面の一部に、補助枠材を、前記枠杆の外側方へ向かう前記張材の引張方向に移動可能として装着し、前記補助枠材と前記枠杆との間、または前記補助枠材に設けた内方を向く凹溝に、前記張材の外周縁部を外側から内側に向かって差し込み、前記枠体に設けた締付手段により、前記補助枠材を、前記張材の引張方向である前記枠杆の外側方に引き寄せて、前記張材を、前記外側方に張力を生じるように前記枠体の表面に張設する。
【０００９】
このような方法によると、枠体に設けた締付手段により、補助枠材を、張材の引張方向に引き寄せて締め付けることにより、張材を枠体の表面に簡単に強く引き締めて張設することができる。しかも、締付手段の締め付け時に、張材の外周部は、補助枠材とともに張材の引張方向に移動するので、補助枠材に対して擦れることはなく、張材が損傷することはない。
また、張材の外周縁部を、補助枠材と枠体との間に差し込んで、締付手段により、補助枠材を、張材の引張方向に引き寄せて締め付ける場合は、補助枠材に凹溝を設ける必要がなく、補助枠材の構造を簡素化し、製造コストを低減することができる。
【００１０】
（２）枠体を構成する枠杆の外側面に形成された凹溝に、張材の周縁部を嵌合することによって、前記枠体の表面に前記張材を張設する張材の張設構造において、前記枠杆の表面の一部に、補助枠材を、前記枠杆の外側方へ向かう前記張材の引張方向に移動可能として装着するとともに、前記枠体に、前記補助枠材を、前記枠杆の外側方へ向かう前記張材の引張方向に引き寄せつつ締め付ける締付手段を設け、さらに、前記補助枠材と前記枠杆との間、または前記補助枠材に、前記張材の外周縁部を外側から内側に向かって差し込む凹溝を設ける。
【００１１】
このような構成とすると、枠体に設けた締付手段により、補助枠材を、張材の引張方向に引き寄せて締め付けることにより、張材を枠体の表面に簡単に強く引き締めて張設することができる。しかも、締付手段の締め付け時に、張材の外周部は、補助枠材とともに張材の引張方向に移動するので、補助枠材に対して擦れることはなく、張材が損傷することはない。
また、張材の外周縁部を差し込む凹溝を、補助枠材と枠体との間に設けた場合は、補助枠材に凹溝を設ける必要がなく、補助枠材の構造を簡素化し、製造コストを低減することができる。
【００１２】
（３）上記(２)項の、補助枠材と枠体との間に凹溝を設けたものにおいて、前記凹溝を形成する補助枠材と枠体との対向面を、枠体の内方から外方に向かって表面寄りに斜めに傾斜するように設け、締付手段の締め付けにより、両対向面の間隔が狭まるようにする。
【００１３】
このような構成とすると、締付手段を締め付けた際に、凹溝を形成する補助枠材と枠体との対向面の間隔が漸次狭まるので、張材の外周縁が強く締め付けられ、張材の外周縁が凹溝から抜け出したり、位置ずれしたりするのを確実に防止することができる。
【００１４】
（４）上記(２)または(３)項において、枠体をほぼ方形とし、その一辺の両端のコーナー部に補助枠材と締付手段とをそれぞれ設ける。
【００１５】
このような構成とすると、一辺の両端部の締付手段により、両補助枠材を互いに離れる方向に締め付けることにより、張材における枠体の一辺寄りの部分を、両側方に強く引っ張って枠体に張設することができる。
【００１６】
（５）上記(２)〜(４)項のいずれかにおいて、張材の外周縁部の一部に硬質の縁材を止着し、この縁材を、前記張材の周縁部とともに、各凹溝に差し込むようにする。
【００１７】
このような構成とすると、張材の外周縁部の一部を、縁材とともに容易に各凹溝に差し込むことができるとともに、張材の外周縁部の一部が、局部的に凹溝から抜け出したり、位置ずれしたりするのを防止することができる。
【発明の効果】
【００１８】
本発明によると、張材を強く引き締めて枠体に張設することができるだけでなく、張材の張設時に、張材に損傷を与えることがなく、張材の張設作業が簡単であり、しかも複雑で高価な金型を用いることなく、枠体を安価に製造することができるようにした張材の張設方法、および張材の張設構造を提供することができる。
【図面の簡単な説明】
【００１９】
【図１】本発明の張材の張設構造を適用した椅子の背凭れの正面図である。
【図２】同じく、張材を外したときの分解正面図である。
【図３】同じく、分解斜視図である。
【図４】図１のIV−IV線拡大縦断側面図である。
【図５】図１のV−V線拡大横断平面図である。
【図６】図１のVI−VI線拡大横断平面図である。
【図７】図１のVII−VII線拡大横断平面図である。
【図８】ボルトを締め付ける前の状態を示す、図７と同様の部分の横断平面図である。
【発明を実施するための形態】
【００２０】
以下、本発明を椅子の背凭れに適用した一実施形態を、図面に基づいて説明する。
図１〜図３に示すように、この椅子の背凭れは、正面形がほぼ方形の硬質合成樹脂よりなる背フレーム１と、この背フレーム１の表面すなわち前面に張設した張材２とを備えている。
【００２１】
図３に示すように、背フレーム１は、上下方向の中央よりやや下方の部分が側面視において前方に突出するように緩やかにくの字状に屈曲する左右１対の側枠杆３、３と、その上端部同士を連結するとともに、左右方向の中央部が平面視において後方に突出するように緩やかに円弧状に湾曲する上枠杆４と、両側枠杆３、３の下端部同士をほぼ直線状に連結する下枠杆５とからなる枠体である主枠材６と、下枠杆５の前面に設けた左右方向に長い凹所７の中央部に、中央部と両側部との３個の固定ねじ８をもって固着された下部補助枠材９と、同じくその両側方において、下枠杆５の凹所７の両側部に後述するようにして取り付けられた側部補助枠材１０とを備えている。
【００２２】
図４の上部および図５に示すように、上枠杆４の上面および左右の側枠杆３、３の外側面には、互いに連続する凹溝１１が設けられている。
図４の下部に示すように、下枠杆５の前面に取付けられた下部補助枠材９の下端部と下枠杆５の下端部との間には、上方に向かって凹入する凹溝１２が形成されている。
【００２３】
各側部補助枠材１０の下端部から外側端の円弧状に湾曲するコーナー部の外周縁部と、それに前後に対向する下枠杆５の下端部から外側端の円弧状に湾曲するコーナー部の外周縁部との間には、凹溝１３が形成されている。
この凹溝１３は、側部補助枠材１０の下端部と下枠杆５の下端部との間においては、凹溝１２と同様に、上方に向かって凹入しているが、外側端のコーナー部の外周縁部に沿って立上るのにつれて、漸次内後方に向かって斜めに凹入している。
【００２４】
すなわち、図７に示すように、各側部補助枠材１０の外側端の円弧状に湾曲するコーナー部の外周縁部の後面には、主枠材６のコーナー部の内方から外方に向かって表面寄りに斜めに傾斜する傾斜面１４が形成され、それに前後に対向する下枠杆５のコーナー部の外周縁部の前面には、傾斜面１４と同方向に傾斜する傾斜面１５が形成され、両傾斜面１４、１５によって、内後方に向かって斜めに凹入する凹溝１３の外端部が形成されている。
【００２５】
両傾斜面１４、１５は、より正確には、主枠材６の後外側方に曲率中心があるなだらかな円弧状の曲面をなしている。
【００２６】
凹溝１１、１２、１３により、張材２の外周縁部を、背フレーム１の外周部に、内方に向かって差し込むための連続する(途中で一部不連続となることがあってもよい)閉ループ状の差し込み部が形成されている。
【００２７】
なお、凹溝１２、１３に代えて、下部補助枠材９の下面、および両側部補助枠材１０、１０の下面から両側部のコーナー部の外周面にかけて、凹溝１１と同様の凹溝を設けることもある。
また、各側部補助枠材１０の下面の凹溝は、凹溝１１と同様の完全な溝の形とし、各側部補助枠材１０の外側面においては、凹溝の後壁部分を切除し、凹溝の前壁部分により、図７に示す内後方に向かって傾斜する傾斜面１４を形成するようにしてもよい。
【００２８】
各側部補助枠材１０の上部における左右方向の中間部には、後向突片１６が設けられ、この後向突片１６の後部と、それに左右方向に整合する主枠材６の下部外側面(側枠杆３と下枠杆５との結合部分)とには、左右方向を向くボルト挿通孔１７、１８が、一直線状に設けられている。
【００２９】
後向突片１６の後部内側面には、ボルト挿通孔１７、１８に挿通させたボルト１９に螺合するようにしたナット２０が、ボルト挿通孔１７、１８の中心軸線と整合し、かつ側部補助枠材１０に対して回転しないようにして設けられている。なお、このナット２０に代えて、後向突片１６に、ボルト１９に螺合する雌ねじ孔を直接穿設することもある。
締付手段であるこのボルト１９とナット２０との螺合により、側部補助枠材１０は、張材２の引張方向である左右方向に移動可能として、主枠材６に装着されている。
【００３０】
図３および図７に示すように、主枠材６における両側枠杆３、３の下部外側面には、下方と外側方とに開口する左右１対の嵌合凹部２５が設けられ、ここには、図６および図７に想像線で示すように、背フレーム１を支持する、正面視ほぼ上向きコ字状の背凭れ支持フレーム２６における左右方向を向く横フレーム(図示略)の両側端部より起立する左右１対の起立フレーム２６ａが嵌合され、ボルト１９の頭部は、この起立フレーム２６ａ、およびこの起立フレーム２６ａに設けられた開口２７を閉塞するカバー２８により覆われている。
【００３１】
図３および図６に示すように、各側部補助枠材１０の内端部は、主枠材６に正規に装着したとき、下部補助枠材９の両側部における固定ねじ８の頭部を前方より覆い、かつその先端部が、下部補助枠材９の両側部のねじ止め部分の内側に設けた後方にわずかに凹入する段部９ａに嵌合して、各側部補助枠材１０の内端部の前面と、下部補助枠材９の前面とが同一面となるようにしてある。
【００３２】
図３に示すように、張材２は、メッシュ材、織布、帆布等により方形に形成され、その両側縁部には、側縁材２１が、上縁部には上縁材２２が、下縁部の中央部と両側部とには、中央下縁材２３と両側部下縁材２４、２４とが、ぞれ縫着、タッカー止め、接着、またはその他の止着手段をもって止着されている。
【００３３】
次に、張材の張設方法の発明の実施要領を、上記の椅子の背フレーム１の表面への張材２の張設方法として説明する。
主枠材６における下枠杆５の凹所７の中央部に、下部補助枠材９を嵌合して、この下部補助枠材９を、３個の固定ねじ８をもって、下枠杆５に固着した後、左右の側部補助枠材１０、１０を、その内端部が、下部補助枠材９の両側部における固定ねじ８の頭部を前方より覆うようにして、その後向突片１６のボルト挿通孔１７を、主枠材６におけるボルト挿通孔１８の内側に整合させ、ボルト１９を、主枠材６の外側から、ボルト挿通孔１８、１７に順次挿通し、図８に示すように、凹溝１３の間隔が所期のものより大となるように、ボルト１９をナット２０にゆるく螺合しておくことにより、左右の側部補助枠材１０、１０を仮止め状態としておく。
【００３４】
この状態から、図４の上部に示すように、張材２の上縁部に止着した上縁材２２を、張材２の上縁部とともに、主枠材６における上枠杆４の上面における凹溝１１に、下方に向かって差し込み、次いで、図５に示すように、張材２の両側縁部に止着した左右の両側部下縁材２４、２４を、張材２の両側縁部とともに、両側枠杆３、３の外側面における凹溝１１に、内方、すなわち主枠材６の中央に向かって差し込み、さらに、図４の下部に示すように、張材２の下縁部における中央部に止着した中央下縁材２３を、張材２の下縁部とともに、下部補助枠材９の下端と下枠杆５の下端部との間に形成された凹溝１２に、上方に向かって差し込み、最後に、張材２の下縁部における両側部に止着した側部下縁材２４、２４を、張材２の下縁部における両側部とともに、左右の側部補助枠材１０、１０の下端部から外側縁部にかけての部分と、それに前後に対向する下枠杆５の下端部から外側縁部にかけての部分との間に形成された凹溝１３に、上方および内後方に向かって差し込む。
【００３５】
次に、左右のボルト１９を順次締め付けると、各側部補助枠材１０は、その締付けに伴って、漸次外側方に移動させられ、張材２の下部が左右方向外側に向かって引っ張られて、緊張させられる。
【００３６】
また、各側部補助枠材１０が外側方に移動させられるのに伴って、差し込み部である凹溝１３の間隔が漸次狭くなり、図７に示すように、後向突片１６が下枠杆６の両側部の立上り部(または側枠杆３)の内側面に当接した締め付け完了時には、凹溝１３の間隔が最も狭くなり、そこに差し込まれた側部下縁材２４と張材２の下部両側縁部とが、凹溝１３を形成する側部補助枠材１０の傾斜面１４と下枠杆５の傾斜面１５とによって強く締め付けられ、側部下縁材２４と張材２の外周縁とが凹溝１３から抜け出したり、位置ずれしたりするのを確実に防止することができる。
また、ボルト１９の締め付け完了時には、側部補助枠材１０の内端部は、図６に示すように、下部補助枠材９の段部９ａに嵌合して、側部補助枠材１０の内端部の前面と、下部補助枠材９の前面とが同一面となる。
【００３７】
本発明の張材の張設構造および張設方法は、以上のような構成としてあるので、主枠材６に設けた締付手段(ボルト１９とナット２０)により、側部補助枠材１０を、張材２の引張方向に引き寄せて締め付けることにより、張材２を主枠材６の表面に簡単に強く引き締めて張設することができる。しかも、締付手段の締め付け時に、張材２の外周部は、側部補助枠材１０とともに張材２の引張方向に移動するので、側部補助枠材１０に対して擦れることはなく、張材２が損傷することはない。
【００３８】
また、張材２外周縁部を、側部補助枠材１０と主枠材６との間に差し込んで、締付手段により、側部補助枠材１０を、張材２の引張方向に引き寄せて締め付けるので、側部補助枠材１０に差し込み部を設ける必要がなく、側部補助枠材１０の構造を簡素化し、製造コストを低減することができる。
【００３９】
さらに、締付手段を締め付けた際に、差し込み部を形成する傾斜面１４、１５の間隔が漸次狭まるので、側部下縁材２４と張材２の外周縁が強く締め付けられ、張材２の外周縁が凹溝１３から抜け出したり、位置ずれしたりするのを確実に防止することができる。
【００４０】
本発明は、上記実施形態のみに限定されるものではなく、特許請求の範囲を逸脱することなく、例えば、次のような幾多の変形した態様での実施が可能である。
(１)  主枠材６における上枠杆４と左右の側枠杆３、３との間のコーナー部にも、側部補助枠材１０、ボルト１９、ナット２０等を設け、張材２を、上部においても、左右方向に引き締めて主枠材６に張設する。
(２)  主枠材６の左右両側部に設けた側部補助枠材１０、ボルト１９、ナット２０等の一方を省略して実施する。
【産業上の利用可能性】
【００４１】
上記実施形態は、本発明を椅子の背凭れにおける張材の張設構造および張設方法に適用した場合のものであるが、本発明は、これに限られるものではなく、例えば椅子の座、もしくはヘッドレスト、またはメッシュ張りの衝立や間仕切等ににおける張材の張設構造および張設方法にも適用することができる。
【符号の説明】
【００４２】
１  背フレーム
２  張材
３  側枠杆
４  上枠杆
５  下枠杆
６  主枠材(枠体)
７  凹所
８  固定ねじ
９  下部補助枠材
９ａ段部
１０  側部補助枠材
１１、１２、１３  凹溝(差し込み部)
１４、１５  傾斜面
１６  後向突片
１７、１８  ボルト挿通孔
１９  ボルト
２０  ナット
２１  側縁材
２２  上縁材
２３  中央下縁材
２４  側部下縁材
２５  嵌合凹部
２６  背凭れ支持フレーム
２６ａ起立フレーム
２７  開口
２８  カバー
【図１】
0005905708.tif 000002
【図２】
0005905708.tif 000003
【図３】
0005905708.tif 000004
【図４】
0005905708.tif 000005
【図５】
0005905708.tif 000006
【図６】
0005905708.tif 000007
【図７】
0005905708.tif 000008
【図８】
0005905708.tif 000009